(57)【要約】情報を表示させながら携帯端末装置を容易に充電させることが可能で且つ表示させる情報を容易に選択することが可能な情報表示装置を提供する。本実施の形態に係る情報表示装置（１）は、情報を表示する第一表示部（２２）と、載置された携帯端末装置に充電を行う非接触充電部を有する載置部（２８）と、載置された携帯端末装置の向きを判別する向き判別部（１５）と、第一表示制御部（１２）と、充電制御部（１６）と、を備える。充電制御部（１６）は、載置部（２８）に携帯端末装置が載置された場合、携帯端末装置への充電処理を行うよう非接触充電部を制御する。第一表示制御部（１２）は、向き判別部（１５）で判別された向きが第一の向きである場合と、向き判別部（１５）で判別された向きが第一の向きとは異なる第二の向きである場合とで、第一表示部（２２）に表示させる情報を変更して表示させる。
2020026536.tif 000002
【特許請求の範囲】
【請求項１】
情報を表示する第一表示部と、
携帯端末装置を載置するための載置部であって、載置された前記携帯端末装置に充電を行う非接触充電部を有する載置部と、
前記載置部に載置された前記携帯端末装置の向きを判別する向き判別部と、
前記第一表示部への情報表示を制御する第一表示制御部と、
前記非接触充電部による充電を制御する充電制御部と、
を備え、
前記充電制御部は、前記載置部に前記携帯端末装置が載置された場合、前記携帯端末装置への充電処理を行うよう前記非接触充電部を制御し、
前記第一表示制御部は、前記向き判別部で判別された向きが第一の向きである場合と、前記向き判別部で判別された向きが前記第一の向きとは異なる第二の向きである場合とで、前記第一表示部に表示させる情報を変更して表示させる、
情報表示装置。
【請求項２】
前記第一表示制御部は、前記向き判別部で判別された向きが前記第一の向きである場合、前記第一表示部に前記携帯端末装置から受信した情報を表示させ、前記向き判別部で判別された向きが前記第二の向きである場合、前記第一表示部に前記受信した情報以外の情報を表示させる、
請求項１に記載の情報表示装置。
【請求項３】
前記第一表示制御部は、前記向き判別部で判別された向きが前記第一の向きである場合、前記第一表示部に前記携帯端末装置から受信した経路案内に関する情報を表示させ、前記向き判別部で判別された向きが前記第二の向きである場合、前記第一表示部に前記情報表示装置におけるコンテンツ操作用の画像を表示させる、
請求項２に記載の情報表示装置。
【請求項４】
前記情報表示装置は、車両において用いられる装置であり、
前記情報表示装置は、前記車両に関する情報を取得する車両情報取得部をさらに備え、
前記第一表示制御部は、前記向き判別部で判別された向きが前記第一の向きである場合、前記第一表示部に前記携帯端末装置から受信した経路案内に関する情報を表示させ、前記向き判別部で判別された向きが前記第二の向きである場合、前記第一表示部に前記車両情報取得部で取得された前記車両に関する情報を表示させる、
請求項２に記載の情報表示装置。
【請求項５】
請求項２から４のいずれか１項に記載の情報表示装置と、前記携帯端末装置と、を備える情報表示システムであって、
前記携帯端末装置は、情報を表示する第二表示部と、前記第二表示部への情報表示を制御する第二表示制御部と、を備え、
前記第一表示制御部は、前記向き判別部で判別された向きが前記第一の向きである場合、前記第一表示部に前記携帯端末装置から受信した情報を表示させ、
前記第二表示制御部は、前記向き判別部で判別された向きが前記第一の向きである場合、前記第一表示部に表示する情報を操作する操作画像を、前記第一表示部での表示の向きに合わせた向きで前記第二表示部に表示させる、
情報表示システム。
【請求項６】
前記携帯端末装置は、前記第二表示部における表示面である第二表示面でのタッチ操作を受け付ける第二操作部を備え、
前記第二操作部は、前記向き判別部で判別された向きが前記第一の向きである場合、前記第二表示部に表示される前記操作画像に対するタッチ操作を受け付ける、
請求項５に記載の情報表示システム。
【請求項７】
前記情報表示装置は、前記第一表示部における表示面である第一表示面でのタッチ操作を受け付ける第一操作部をさらに備え、
前記第一操作部は、
前記向き判別部で判別された向きが前記第一の向きである場合、前記第一表示面でのタッチ操作を無効とし、
前記向き判別部で判別された向きが前記第二の向きである場合、前記第一表示面に表示される、前記受信した情報以外の情報に対するタッチ操作を受け付ける、
請求項５又は６に記載の情報表示システム。
【請求項８】
情報を表示する第一表示部と、
携帯端末装置を載置するための載置部であって、載置された前記携帯端末装置に充電を行う非接触充電部を有する載置部と、
を備えた情報表示装置における情報表示方法であって、
前記載置部に前記携帯端末装置が載置された場合、前記携帯端末装置への充電処理を行うよう前記非接触充電部を制御するステップと、
前記載置部に載置された前記携帯端末装置の向きを判別するステップと、
判別された向きが第一の向きである場合と、判別された向きが前記第一の向きとは異なる第二の向きである場合とで、前記第一表示部に表示させる情報を変更して表示させるステップと、
を有する、
情報表示方法。
【請求項９】
情報を表示する第一表示部と、
携帯端末装置を載置するための載置部であって、載置された前記携帯端末装置に充電を行う非接触充電部を有する載置部と、
を備えた情報表示装置を動作させるコンピュータに、
前記載置部に前記携帯端末装置が載置された場合、前記携帯端末装置への充電処理を行うよう前記非接触充電部を制御するステップと、
前記載置部に載置された前記携帯端末装置の向きを判別するステップと、
判別された向きが第一の向きである場合と、判別された向きが前記第一の向きとは異なる第二の向きである場合とで、前記第一表示部に表示させる情報を変更して表示させるステップと、
を実行させるためのプログラム。
【発明の詳細な説明】
【技術分野】
【０００１】
本発明は、情報表示装置、情報表示システム、情報表示方法、及びプログラムに関する。
【背景技術】
【０００２】
従来から、自動車のダッシュボード付近に表示部が配置されるようにカーナビゲーションシステムが設けられている。例えば、特許文献１には、表示部を有する可動パネルがアクチュエータの作動により起立位置と上向きの水平位置との間で開閉運動するパネル装置が開示されている。
【先行技術文献】
【特許文献】
【０００３】
【特許文献１】特開２００９−２７４６７６号公報
【発明の概要】
【発明が解決しようとする課題】
【０００４】
ところで、昨今、携帯電話機（スマートフォンと称されるものも含む）等の携帯端末装置を自動車内の表示装置に接続し、自動車内の表示装置で携帯端末装置の機能が利用できる表示装置もある。このような利用形態であっても、携帯端末装置に対しては自動車内で充電を行う必要性がある。【０００５】
しかしながら、自動車内で携帯端末装置を充電する際には充電用の接続ケーブルを挿し、その接続ケーブルを介して携帯端末装置を充電する必要がある。なお、特許文献１に記載のパネル装置をカーナビゲーションシステムの一部として用いた場合でも、地図情報などがそのパネル装置の表示部に表示できるが、携帯端末装置への充電に関してそのパネル装置は無関係に動作する。したがって、情報を表示させる情報表示装置において携帯端末装置をより簡易な方法で充電できるようにするとともに、充電中であっても携帯端末装置を有効活用する手法が望まれ、さらに表示させる情報を容易に選択できるようにする手法も望まれる。【０００６】
本開示は、上記の点に鑑みなされたもので、情報を表示させながら携帯端末装置を容易に充電させることが可能で且つ表示させる情報を容易に選択することが可能な情報表示装置、情報表示システム、情報表示方法、及びプログラムを提供することを目的とする。
【課題を解決するための手段】
【０００７】
本実施の形態に係る情報表示装置は、情報を表示する第一表示部と、携帯端末装置を載置するための載置部であって、載置された前記携帯端末装置に充電を行う非接触充電部を有する載置部と、前記載置部に載置された前記携帯端末装置の向きを判別する向き判別部と、前記第一表示部への情報表示を制御する第一表示制御部と、前記非接触充電部による充電を制御する充電制御部と、を備え、前記充電制御部は、前記載置部に前記携帯端末装置が載置された場合、前記携帯端末装置への充電処理を行うよう前記非接触充電部を制御し、前記第一表示制御部は、前記向き判別部で判別された向きが第一の向きである場合と、前記向き判別部で判別された向きが前記第一の向きとは異なる第二の向きである場合とで、前記第一表示部に表示させる情報を変更して表示させる、ことを特徴とするものである。【０００８】
本実施の形態に係る情報表示方法は、情報を表示する第一表示部と、携帯端末装置を載置するための載置部であって、載置された前記携帯端末装置に充電を行う非接触充電部を有する載置部と、を備えた情報表示装置における情報表示方法であって、前記載置部に前記携帯端末装置が載置された場合、前記携帯端末装置への充電処理を行うよう前記非接触充電部を制御するステップと、前記載置部に載置された前記携帯端末装置の向きを判別するステップと、判別された向きが第一の向きである場合と、判別された向きが前記第一の向きとは異なる第二の向きである場合とで、前記第一表示部に表示させる情報を変更して表示させるステップと、を有する、ことを特徴とするものである。【０００９】
本実施の形態に係るプログラムは、情報を表示する第一表示部と、携帯端末装置を載置するための載置部であって、載置された前記携帯端末装置に充電を行う非接触充電部を有する載置部と、を備えた情報表示装置を動作させるコンピュータに、前記載置部に前記携帯端末装置が載置された場合、前記携帯端末装置への充電処理を行うよう前記非接触充電部を制御するステップと、前記載置部に載置された前記携帯端末装置の向きを判別するステップと、判別された向きが第一の向きである場合と、判別された向きが前記第一の向きとは異なる第二の向きである場合とで、前記第一表示部に表示させる情報を変更して表示させるステップと、を実行させるためのプログラムである。
【発明の効果】
【００１０】
本開示によれば、情報を表示させながら携帯端末装置を容易に充電させることが可能で且つ表示させる情報を容易に選択することが可能な情報表示装置、情報表示システム、情報表示方法、及びプログラムを提供することができる。
【図面の簡単な説明】
【００１１】
【図１】実施の形態１に係る情報表示装置の一構成例を示すブロック図である。
【図２】図１における情報表示装置で充電される携帯端末装置の一構成例を示すブロック図である。
【図３】図１における情報表示装置の第一状態における一例を示す正面図である。
【図４】図１における情報表示装置の第二状態における一例を示す斜視図である。
【図５】図４における情報表示装置において携帯端末装置を載置した様子の一例を示す斜視図である。
【図６】図４における情報表示装置において携帯端末装置を図５の例とは逆方向に載置した様子の一例を示す斜視図である。
【図７】図１における情報表示装置の向き判別部での判定処理の一例を説明するための図である。
【図８】図１における情報表示装置の自動車内での設置場所の一例を示す概略図である。
【図９】図１における情報表示装置で実行される処理の一例を説明するためのフロー図である。
【図１０】図４における情報表示装置において携帯端末装置を載置した様子の他の例を示す正面側から見た斜視図である。
【図１１】図４における情報表示装置において携帯端末装置を載置した様子の他の例を示す正面側から見た斜視図である。
【図１２】実施の形態２に係る情報表示装置において携帯端末装置を載置した様子の一例を示す正面側から見た斜視図である。
【図１３】実施の形態２に係る情報表示装置におけるタッチ操作の設定例について説明するための図である。
【図１４】実施の形態２に係る情報表示装置におけるタッチ操作の設定例について説明するための図である。
【図１５】実施の形態２に係る情報表示装置におけるタッチ操作の設定例について説明するための図である。
【図１６】実施の形態２に係る情報表示装置で実行される処理の一例を説明するためのフロー図である。
【図１７】情報表示装置に含まれるハードウェア構成の一例を示す図である。
【発明を実施するための形態】
【００１２】
＜実施の形態１＞
本実施の形態に係る情報表示装置について、並びにその情報表示装置と携帯端末装置とを備えた情報表示システムについて、図１〜図１１を参照しながら説明する。図１は、本実施の形態に係る情報表示装置の一構成例を示すブロック図で、図２は、その情報表示装置で充電される携帯端末装置の一構成例を示すブロック図である。
【００１３】
図１に示すように、本実施の形態に係る情報表示装置１は、情報を表示する第一表示部２２を備えるとともに、前方パネル２５及び送電部２６で例示する載置部２８を備える。また、本実施の形態に係る情報表示装置１は、その全体を制御する制御部１０を備えることができる。さらに、情報表示装置１は、第一記憶部２１、第一操作部２３、前方パネル駆動部２４、及び第一通信部２７を備えることができる。
【００１４】
なお、第一表示部２２、第一記憶部２１、第一操作部２３、及び第一通信部２７、並びに制御部１０内の一部の部位においては、部位の頭に「第一」を付している。同様に、携帯端末装置３側の一部の部位においては、部位の頭に「第二」を付している。これらは、情報表示装置１側の部位と携帯端末装置３側の部位とを区別のために便宜上、付したものに過ぎない。
【００１５】
制御部１０は、第一コンテンツ制御部１１、第一表示制御部１２、第一操作制御部１３、パネル動作制御部１４、向き判別部１５、送電制御部１６、及び第一通信制御部１７を有することができる。
【００１６】
制御部１０又はその一部は、例えば、ＣＰＵ（Central Processing Unit）、作業用メモリ、及び不揮発性の記憶装置などによって、或いは集積回路（Integrated Circuit）によって実現される。この記憶装置にＣＰＵによって実行される制御用のプログラムを格納しておき、ＣＰＵがそのプログラムを作業用メモリに読み出して実行することで、制御部１０又はその一部の機能を果たすことができる。第一記憶部２１は、この記憶装置の一部とすることもできる。
【００１７】
第一記憶部２１は、例えば半導体メモリ、ハードディスク等の記憶装置によって実現することができ、情報表示装置１において第一表示部２２で表示させるコンテンツ等を記憶することができる。第一コンテンツ制御部１１は、第一記憶部２１に記憶されたコンテンツに再生処理を施し、映像コンテンツの場合には第一表示制御部１２及び図示しない音声制御部に渡し、音声コンテンツの場合にはその音声制御部に渡す。これにより、映像コンテンツが第一表示部２２及び図示しないスピーカ等の音声出力部から出力され、音声コンテンツがその音声出力部から出力されることになる。第一コンテンツ制御部１１は、後述する第一通信部２７又は他の通信手段を用いて、他の記憶装置からコンテンツ等を取得して再生処理を行ってもよい。
【００１８】
第一表示部２２は、情報を表示できればよく、一般的に情報を画像として表示するため画像表示部と称することもできる。第一表示部２２は、主に、液晶パネルや有機ＥＬ（Electro-Luminescence）パネルなどの表示パネルで構成することができる。第一表示部２２は、上述した第一記憶部２１に記憶されたコンテンツの画像、その他の情報表示装置１の内部で生成された画像、或いは外部から受信した画像などを表示する。なお、上記画像には静止画像だけでなく動画像（映像）も含まれるものとする。第一表示制御部１２は、第一表示部２２に情報を表示させる制御を行う。つまり、第一表示制御部１２は、第一表示部２２への情報表示を制御する。
【００１９】
第一操作部２３は、第一表示部２２における表示面である第一表示面でのタッチ操作を受け付ける操作部である。第一操作部２３は、第一表示部２２に組み込まれるか重ねられたタッチセンサを有することができ、ユーザは第一表示部２２の第一表示面をタッチすることで操作情報を入力することができる。なお、第一操作部２３は、ハードウェアキーを有することもできる。第一操作制御部１３は、第一表示部２２に表示された情報に対する操作を制御する部位である。第一操作制御部１３は、第一操作部２３から入力された操作情報を、その操作に関連する部位に渡し、その操作情報を反映させる制御を行うことができる。なお、第一操作制御部１３の機能は、第一操作部２３に組み込んでおくこともできる。
【００２０】
前方パネル駆動部２４は、前方パネル２５を開閉するための駆動を行う。前方パネル２５は、閉めた状態で第一表示部２２を覆うような蓋状の部材とすることができ、その例及び開閉の方式の例については図３等を参照して後述する。パネル動作制御部１４は、前方パネル駆動部２４による駆動を、つまり前方パネル２５の動作を制御する。無論、前方パネル駆動部２４を設けず、前方パネル２５を手動で開閉させるような機構を採用することもできる。なお、情報表示装置１は、前方パネル駆動部２４の有無に拘わらず、前方パネル２５の開閉を検知するセンサなどを設けておくことができる。
【００２１】
送電部２６は、非接触充電部の一例であり、図２で例示する近接された携帯端末装置３に対し、携帯端末装置３のバッテリ４５を非接触で充電するために給電（送電）を行う。送電部２６は、例えば電磁誘導を利用して、携帯端末装置３側に送電を行うことができ、この送電の方式は問わない。送電制御部１６は、非接触充電部による携帯端末装置３への充電を制御する部位、つまり送電部２６による送電を制御する部位であり、以下、充電制御部１６と称する。なお、向き判別部１５については後述するが、充電制御部１６は向き判別部１５に充電に関する情報を伝達するように構成することができる。
【００２２】
第一通信部２７は、携帯端末装置３との通信（後述する第二通信部４７との通信）を行う部位であり、通信インタフェースを有することができる。第一通信部２７及び第二通信部４７はいずれも、例えばＢｌｕｅｔｏｏｔｈ（登録商標）等の近距離無線通信方式の通信部とすることができるが、双方の通信方式が同じであれば、情報表示装置１と携帯端末装置３との間での情報のやりとりは可能となる。第一通信制御部１７は、第一通信部２７による通信を制御する。なお、情報表示装置１には、携帯端末装置３以外との通信を行うための通信部を別途設けておくことができる。
【００２３】
図２に示すように、情報表示装置１による非接触充電の対象となる携帯端末装置３は、受電部４６と、バッテリ４５で例示する蓄電部と、を備える。また、携帯端末装置３は、その全体を制御する制御部３０、第二記憶部４１、第二表示部４２、第二操作部４３、及び第二通信部４７を備えることができる。携帯端末装置３としては、携帯電話機（スマートフォンと称されるものも含む）、タブレット端末などが適用できるが、可搬型のＰＣ（Personal Computer）とすることもできる。
【００２４】
制御部３０は、第二コンテンツ制御部３１、第二表示制御部３２、第二操作制御部３３、受電制御部３６、及び第二通信制御部３７を有することができる。
【００２５】
制御部３０又はその一部は、例えば、ＣＰＵ、作業用メモリ、及び不揮発性の記憶装置などによって、或いは集積回路によって実現される。この記憶装置にＣＰＵによって実行される制御用のプログラムを格納しておき、ＣＰＵがそのプログラムを作業用メモリに読み出して実行することで、制御部３０又はその一部の機能を果たすことができる。第二記憶部４１は、この記憶装置の一部とすることもできる。
【００２６】
第二記憶部４１は、例えば半導体メモリ、ハードディスク等の記憶装置によって実現することができ、携帯端末装置３において第二表示部４２で表示させるコンテンツ等を記憶することができる。第二コンテンツ制御部３１は、第二記憶部４１に記憶されたコンテンツに再生処理を施し、映像コンテンツの場合には第二表示制御部３２及び図示しない音声制御部に渡し、音声コンテンツの場合にはその音声制御部に渡す。これにより、映像コンテンツが第二表示部４２及び図示しないスピーカ等の音声出力部から出力され、音声コンテンツがその音声出力部から出力されることになる。第二コンテンツ制御部３１は、後述する第二通信部４７又は他の通信手段を用いて、他の記憶装置からコンテンツ等を取得して再生処理を行ってもよい。
【００２７】
第二表示部４２は、情報を表示できればよく、一般的に情報を画像として表示するため画像表示部と称することもできる。第二表示部４２は、主に、液晶パネルや有機ＥＬパネルなどの表示パネルで構成することができる。第二表示部４２は、上述した第二記憶部４１に記憶されたコンテンツの画像、その他の携帯端末装置３の内部で生成された画像、或いは外部から受信した画像などを表示する。第二表示制御部３２は、第二表示部４２に情報を表示させる制御を行う。つまり、第二表示制御部３２は、第二表示部４２への情報表示を制御する。
【００２８】
第二操作部４３は、第二表示部４２における表示面である第二表示面でのタッチ操作を受け付ける操作部（端末側操作部）である。第二操作部４３は、第二表示部４２に組み込まれるか重ねられたタッチセンサを有することができ、ユーザは第二表示部４２の第二表示面をタッチすることで操作情報を入力することができる。なお、第二操作部４３は、ハードウェアキーを有することもできる。第二操作制御部３３は、第二表示部４２に表示された情報に対する操作を制御する部位である。第二操作制御部３３は、第二操作部４３から入力された操作情報を、その操作に関連する部位に渡し、その操作情報を反映させる制御を行うことができる。なお、第二操作制御部３３の機能は、第二操作部４３に組み込んでおくこともできる。
【００２９】
受電部４６は、近接された送電部２６からの給電を受ける部位である。送電部２６について上述したように、送電部２６及び受電部４６による充電の方式は問わない。受電制御部３６は、受電部４６による受電を制御する部位であり、充電を制御するため、充電制御部と称することもできる。受電制御部３６は、例えば、バッテリ４５が満充電になった場合、受電部４６の機能を停止させるなどして受電を停止させるなどの制御を行うことができる。
【００３０】
第二通信部４７は、情報表示装置１との通信（第一通信部２７との通信）を行う部位であり、通信インタフェースを有することができる。第二通信制御部３７は、第二通信部４７による通信を制御する。なお、携帯端末装置３には、情報表示装置１以外との通信を行うための通信部を別途設けておくことができる。
【００３１】
次に、図３〜図８を併せて参照しながら、本実施の形態に係る情報表示装置１の載置部２８における携帯端末装置３の載置に関して、並びに載置時の表示に関して説明する。図３は、情報表示装置１の後述する第一状態における一例を示す正面図で、図４は、情報表示装置１の後述する第二状態における一例を示す正面側から見た斜視図である。また、図５は、図４における情報表示装置１において携帯端末装置３を載置した様子の一例を示す正面側から見た斜視図で、図６は、携帯端末装置３を図５の例とは逆方向に載置した様子の一例を示す斜視図である。また、図７は、向き判別部１５での判定処理の一例を説明するための図である。また、図８は、情報表示装置１の自動車内での設置場所の一例を示す概略図である。
【００３２】
載置部２８は、携帯端末装置３を載置するための部位であって、送電部２６で例示した、携帯端末装置３を載置させた状態で携帯端末装置３に充電を行う非接触充電部を有する。また、載置部２８は、前方パネル２５で例示した、例えば平板状等の部材を有する。なお、載置部２８は、第一表示部２２の第一表示面２２ａに蓋をするため、蓋部と称することもできる。図３及び図４で例示するように、前方パネル２５は、情報表示装置１の筐体１ａに設けられ、例えば位置２６ａの部分に送電部２６を収容しておくことができる。また、送電制御部１６も上記の部材の内部に収容しておくことができる。上記の部材の内部には、第一通信部２７及び第一通信制御部１７の双方、又は第一通信部２７を収容しておくこともできる。
【００３３】
また、情報表示装置１は、第一表示部２２における第一表示面２２ａを覆う第一状態と、第一表示面２２ａを露出させ且つ携帯端末装置３を載置することが可能な第二状態と、の間で、前方パネル２５で例示したこの部材を変化させる機構を有することができる。以下、この機構を開閉機構と称する。この開閉機構の、自動で開閉を行う機構の例が、前方パネル駆動部２４に該当する。パネル動作制御部１４は、第一状態と第二状態との間で、前方パネル２５の動作を制御することになる。
【００３４】
第一状態は、図３で例示するような前方パネル２５を閉めた状態を指すことができる。第二状態は、図４で例示するような前方パネル２５を開けた状態を指すことができる。第二状態では、送電部２６による充電が可能となる。即ち、第一状態は、前方パネル２５の携帯端末装置３を載置する側の面（位置２６ａに示すマークが表示されている面）が第一表示面２２ａと同じ方向を向くように配置される状態を指すことができる。そして、第二状態は、前方パネル２５が第一表示面２２ａに直交して配置される状態を指すことができる。なお、第一状態、第二状態は、それぞれ第一モード、第二モードと称することができ、それぞれ第一形態、第二形態と称することもできる。
【００３５】
開閉機構における開閉の方式は基本的に問わず、例えば、図３及び図４で例示した変化を行わせる場合、開閉機構は、次のような機構となる。即ち、この場合の開閉機構は、前方パネル２５を開ける際（第一状態から第二状態へ移行させる場合）、前方パネル２５の上側を下に移動させながら前方パネル２５の下側を前方へ向けてスライドさせる機構となる。また、この場合の開閉機構は、前方パネル２５を閉める際（第二状態から第一状態へ移行させる場合）、その逆の動作を行わせるような機構となる。
【００３６】
第一状態及び第二状態は、このような状態に限ったものではない。但し、情報表示装置１の設置と携帯端末装置３の載置とを考慮し、第一状態は前方パネル２５が第一表示部２２の第一表示面２２ａに対向して配置される状態で、第二状態は前方パネル２５が第一表示部２２の第一表示面２２ａに直交して配置される状態であることが望ましい。そのような他の例として、第一状態は、前方パネル２５の携帯端末装置３を載置する側の面が第一表示面２２ａに対向するように配置される状態を指し、第二状態は、前方パネル２５が第一表示面２２ａに直交して配置される状態を指すこともできる。この例では、開閉機構として、開ける際に前側に前方パネル２５の上側を倒し、閉める際にその逆の動作を行わせるような機構を採用することができる。なお、上述した直交とは厳密に９０度には限定されず、９０度前後にある程度の幅のある角度が許容される。
【００３７】
第二状態における第一表示部２２は、次のような表示状態とすることができる。
第一表示制御部１２は、図４の第一表示面２２ａで例示したように、前方パネル２５が第二状態である場合に、第一表示部２２へ情報を表示させる制御を行うことができる。第二状態であるか第一状態であるかは、パネル動作制御部１４の制御内容から判定することができ、或いは上述したセンサを設けておけばその検知結果などで判定することもできる。なお、第一表示制御部１２は、前方パネル２５が第二状態であっても携帯端末装置３が前方パネル２５に載置されていない場合には、情報を表示しないといった制御を採用することもできる。
【００３８】
本実施の形態において、第一表示部２２へ表示させる情報は、携帯端末装置３を充電する際に載置する向きによって異ならせることができる。上述したように、第二状態における携帯端末装置３への充電は、載置部２８に（つまり前方パネル２５に）携帯端末装置３を載置した状態で行われる。
【００３９】
充電制御部１６は、載置部２８に携帯端末装置３が載置された場合、携帯端末装置３への充電処理を行うよう送電部２６を制御する。つまり、充電制御部１６は、前方パネル２５が第二状態で且つ前方パネル２５に携帯端末装置３が載置された場合、載置された携帯端末装置３への充電処理を行うよう（給電を開始するよう）送電部２６を制御する。なお、この場合、前方パネル２５が第二状態であるか第一状態であるかの判定を実行してもよいが、この判定を実行しなくても携帯端末装置３が載置されたことが判定できればよい。第二状態にならないと携帯端末装置３が載置できないためである。
【００４０】
そして、第一表示制御部１２は、向き判別部１５で判別された向きが第一の向きである場合と、第一の向きとは異なる第二の向きである場合とで、第一表示部２２に表示させる情報を変更して表示させる。つまり、第一表示制御部１２は、第一表示部２２へ表示させる対象の情報を、判別された向きによって変更する制御を行う。この変更する制御は、例えば、次のように表示させる情報のソースを切り替える制御とすることができる。即ち、第一表示制御部１２は、向き判別部１５で判別された向きが第一の向きである場合、第一表示部２２に携帯端末装置３から受信した情報を表示させる。以下、携帯端末装置３から受信した情報を、携帯端末装置３に基づく情報と称する。一方で、第一表示制御部１２は、向き判別部１５で判別された向きが第一の向きとは異なる第二の向きである場合、第一表示部２２に携帯端末装置３に基づく情報以外の情報を表示させる。以下、携帯端末装置３に基づく情報以外の情報を、情報表示装置１に基づく情報と称して説明する。
【００４１】
図５では、前方パネル２５において、携帯端末装置３を第一の向きに載置した状態を例示しており、便宜上、第一の向きに載置された携帯端末装置３を携帯端末装置３ａとして説明する。また、図６では、前方パネル２５において、携帯端末装置３を第二の向きに載置した状態を例示しており、便宜上、第二の向きに載置された携帯端末装置３を携帯端末装置３ｂとして説明する。図５の例では、携帯端末装置３ａから受信したナビゲーション画像（経路案内に関する情報が含まれる地図画像）が第一表示面２２ａに表示されている。一方、図６の例では、情報表示装置１の内部（例えば第一記憶部２１）に記憶されたコンテンツの画像が第一表示面２２ａに表示されている。このように、図５及び図６では、双方の場面のそれぞれにおける第一表示面２２ａにおいて、互いに異なるソースから異なる画像が表示されている。但し、双方の場面のそれぞれにおいて第一表示面２２ａに表示される各情報のソースが互いに異なっても、結果的に同じ画像となる場合はある。
【００４２】
上述した向き判別部１５について説明する。向き判別部１５は、載置部２８に載置された携帯端末装置３の向き（載置向き）を判別する。上述のように、送電部２６は載置された携帯端末装置３に対して非接触充電を行う機能を有するが、向き判別部１５はこの機能を利用して向きを判別することが好ましい。この場合、充電制御部１６は、向き判別部１５に充電に関する情報を伝達するように構成しておくことができる。
【００４３】
図７に例示するように、送電部２６は、前方パネル２５に設けられた載置領域２５ａの中央付近に埋め込まれることができるが、互いに位置をずらしたコイル２６ｂ，２６ｃでなるコイルアレイ２６ｄを有することができる。なお、載置領域２５ａは、前方パネル２５に、例えば一般的な携帯端末装置３の大きさに合った凹部として形成しておくことができる。一方で、図７に例示するように、携帯端末装置３に設ける受電部４６を構成するコイル４６ａは、携帯端末装置３の上下方向における中央部分からずらした位置に設けておくことができる。
【００４４】
このような構成により、充電制御部１６は、いずれのコイル２６ｂ，２６ｃで充電可能であるのかを判定することができる。充電制御部１６がその判定の結果を向き判別部１５に伝達することで、向き判別部１５は携帯端末装置３の向きを判別すること、つまり携帯端末装置３ａ，３ｂのいずれで示す状態であるのかを判別することができる。
【００４５】
なお、向き判別部１５は、この例に限らず、非接触充電機能を利用して判別を行うように構成することもでき、また、非接触充電機能を利用しないで判別を行うように構成することもできる。例えば、携帯端末装置３を別途設けたカメラで認識するなどして向きを判定するなど、非接触充電機能を利用しないで向きを判別するように構成することもできる。
【００４６】
また、携帯端末装置３ａ及び携帯端末装置３ｂで例示するように、携帯端末装置３は、第二表示部４２の第二表示面４２ａを上向きにして前方パネル２５に載置させることで充電されるような構造を採用することができる。そのため、携帯端末装置３は、第二表示面４２ａと反対側の面寄りに受電部４６を内蔵しておくなどすればよい。
【００４７】
携帯端末装置３ｂは、携帯端末装置３ａを上下反転（左右反転）させたものであり、この例のように、第一の向きは第二の向きと逆向きとすることが、向き判別部１５での判別が行い易いため好ましいと言える。ここで、逆向きとは実質的に逆向きであればよく、丁度１８０度異なる向きである必要はない。
【００４８】
また、図８で例示するように、情報表示装置１は、例えば、自動車の車内のダッシュボード６３などに設置することができる。なお、図８において、６１はウインドシールド、６２はリアビューミラー、６４はインストルメントパネル、６５はステアリングホイールである。
【００４９】
次に、図９を併せて参照しながら、情報表示装置１で実行される処理例について説明する。図９は、情報表示装置１で実行される処理の一例を説明するためのフロー図である。ここで、情報表示装置１の利用開始時は、第一状態であることを前提として説明するが、これに限ったものではない。利用開始時とは、情報表示装置１の電源がオンとなった時などとすることができる。
【００５０】
まず、パネル動作制御部１４（又は制御部１０）は、第一状態から第二状態へ移行したか否かを判定する（ステップＳ１０１）。第一状態から第二状態へは、例えば、情報表示装置１が起動した場合に自動的に移行するようにしておくことができる。或いは、第一状態から第二状態へ移行させるようなユーザ操作が受け付けられるまでは、第一状態を維持し、ユーザ操作が受け付けられた場合、第二状態に移行するようにすることもできる。このようなユーザ操作としては、例えば、ユーザが電気的スイッチを押した場合、又はユーザが前方パネルを押したことを検出した場合などが挙げられる。
【００５１】
ステップＳ１０１でＹＥＳの場合、第一表示制御部１２は、第一表示部２２に情報を表示させ、これにより情報表示が開始される（ステップＳ１０２）。ここで表示される情報は任意とすることができる。例えば、情報表示装置１のメニュー画像、情報表示装置１が備えるオーディオコンテンツ再生画像、情報表示装置１が備えるナビゲーション画像などを、第一表示部２２に表示させることができる。或いは、携帯端末装置３との通信により、携帯端末装置３で機能しているオーディオコンテンツ再生画像、携帯端末装置３で機能しているナビゲーション画像などを、第一表示部２２に表示させることもできる。なお、ステップＳ１０１でＮＯの場合、処理を終了する。
【００５２】
ステップＳ１０２に続き、充電制御部１６は、携帯端末装置（単に端末装置とも称する）３の載置が検出されたか否かを判定する（ステップＳ１０３）。充電制御部１６は、例えば、送電部２６からの間欠送電に対する受電部４６からの信号検出により、携帯端末装置３が載置されていることを検出することができる。
【００５３】
ステップＳ１０３でＹＥＳの場合、充電制御部１６は充電処理を開始する（ステップＳ１０４）。ここで、充電処理とは、残電力を検出して満充電でなければ充電を行い、満充電の場合は充電を停止する処理とすることができる。この充電処理には、満充電以外に、温度異常時に充電を停止するような処理も含むことができる。
【００５４】
携帯端末装置３が載置されてステップＳ１０４で充電処理開始が開始された後、向き判別部１５が、載置された携帯端末装置３が第一の向きで載置されているか、否か（第二の向きで載置されているか）を判定する（ステップＳ１０５）。
【００５５】
ステップＳ１０５でＹＥＳの場合（第一の向きの場合）、第一表示制御部１２は、第一表示部２２に携帯端末装置３に基づく情報を表示させる制御を行う（ステップＳ１０６）。この制御に際し、制御部１０は、例えば、第一通信制御部１７に指示して第一通信部２７を介して当該情報を携帯端末装置３から受信させる制御を行う。
【００５６】
ステップＳ１０６において表示される携帯端末装置３に基づく情報は、例えば、図５で例示したように携帯端末装置３のナビゲーション機能によるナビゲーション画像とすることができる。携帯端末装置３のナビゲーション機能は、携帯端末装置３に、例えばＡｐｐｌｅ  ＣａｒＰｌａｙ（登録商標）、Ａｎｄｒｏｉｄ  Ａｕｔｏ（登録商標）などのアプリケーションをインストールすることで実現させることができる。
【００５７】
特に、情報表示装置１にナビゲーション機能がない場合や、情報表示装置１にナビゲーション機能がある場合であっても携帯端末装置３のナビゲーション機能を利用したい場合などに有益となる。第一表示部２２に携帯端末装置３のナビゲーション機能によるナビゲーション画像を表示させ、その画像に対する操作を情報表示装置１の第一操作部２３で受け付け可能にしておくことができる。第一操作部２３で受け付けた操作情報を携帯端末装置３に第一通信部２７を介して送信して、その応答を受信することで、このような処理が実現できる。
【００５８】
また、他の例として、ステップＳ１０６において表示される携帯端末装置３に基づく情報は、例えば、携帯端末装置３で再生されるコンテンツ画像とすることもできる。ユーザが情報表示装置１のコンテンツ再生表示に代えて携帯端末装置３のコンテンツ再生表示を利用したい場合に有益となる。
【００５９】
ステップＳ１０２の段階など、事前に携帯端末装置３に基づく情報を表示している場合には、ステップＳ１０６においてはこの表示を継続させれば済む。但し、ステップＳ１０６では予め定められた機能による画像を表示させるようにすることもできる。つまり、情報表示装置１は、ステップＳ１０６で携帯端末装置３に基づく情報を表示する場合、予め定められた情報（例えばナビゲーション画像、コンテンツ画像など）を表示するように設定可能に構成することもできる。その設定内容に従い、携帯端末装置３に情報を要求することで、設定された情報を第一表示部２２に表示させることができる。無論、情報表示装置１は、ステップＳ１０２で携帯端末装置３に基づく情報を表示する場合にも、同様に予め定められた情報を表示するように設定可能に構成することもできる。
【００６０】
一方で、ステップＳ１０５でＮＯの場合（第二の向きの場合）には、第一表示制御部１２は、第一表示部２２に情報表示装置１に基づく情報を表示させる制御を行う（ステップＳ１０７）。これにより、例えば図６で例示したような第一記憶部２１に記憶されたコンテンツ画像、或いは情報表示装置１のナビゲーション機能によるナビゲーション画像などを第一表示部２２に表示させることができる。ステップＳ１０２の段階など、事前に情報表示装置１に基づく情報を表示している場合には、ステップＳ１０７においてはこの表示を継続させれば済む。但し、ステップＳ１０６の場合と同様の考えに基づき、ステップＳ１０７では予め定められた機能による画像を表示させるようにすることもできる。
【００６１】
ステップＳ１０６の処理後、並びにステップＳ１０７の処理後、充電制御部１６は、携帯端末装置３の取り外しが検出（検知）されたか否かを判定する（ステップＳ１０８）。ステップＳ１０８では、送電部２６からの間欠送電に対する受電部４６からの信号が検出されない場合、携帯端末装置３が載置されなくなった（取り外された）と判定することができる。
【００６２】
一方で、ステップＳ１０３でＮＯの場合、つまり携帯端末装置３が載置されていない場合には、ステップＳ１０７と同様に、第一表示制御部１２は、第一表示部２２に情報表示装置１に基づく情報を表示させる制御を行う（ステップＳ１０９）。
【００６３】
ステップＳ１０９の処理後、並びにステップＳ１０８でＹＥＳの場合、パネル動作制御部１４（又は制御部１０）は、第二状態から第一状態へ移行したか否かを判定する（ステップＳ１１０）。ここでの判定方法もステップＳ１０１での判定方法と同様とすることができる。ステップＳ１１０でＹＥＳの場合、第一表示制御部１２は、第一表示部２２の表示を終了させ（ステップＳ１１１）、処理を終了する。一方で、ステップＳ１１０でＮＯの場合、ステップＳ１０３へ戻り、同様の処理が実行される。
【００６４】
次に、情報表示装置１の他の表示例について、図１０及び図１１を併せて参照しながら説明する。図１０及び図１１は、いずれも、情報表示装置１において携帯端末装置３ｂを載置した様子の他の例を示す正面側から見た斜視図である。図１０及び図１１を参照してここで説明する２つの例における情報表示装置１はいずれも、前方パネル２５において携帯端末装置３を第一の向きに載置した状態で、例えば図５で示したように、携帯端末装置３ａから受信した経路案内に関する情報を表示させるものとする。但し、経路案内に関する情報に限らず、携帯端末装置３ａから受信した他種の情報であっても同様に適用できる。
【００６５】
図１０で例示する情報表示装置１では、第一表示制御部１２が、向き判別部１５で判別された向きが第二の向きである場合、第一表示部２２に情報表示装置１におけるコンテンツ操作用の画像を表示させる。つまり、この情報表示装置１は、前方パネル２５において携帯端末装置３を第二の向きに載置した状態で、例えば図１０で示したように、情報表示装置１におけるコンテンツ操作用の画像を第１表示面２２ａに表示させる。この画像は、ＧＵＩ（Graphical User Interface）画像とすることができる。
【００６６】
図１０では、ＡＵＤＩＯ（オーディオコンテンツ）、ＶＩＤＥＯ（ビデオコンテンツ）、ＴＶ（テレビ放送コンテンツ）、ＦＭ（ＦＭ［Frequency Modulation］放送コンテンツ）の各種コンテンツを選択可能な状態で表示した例を挙げている。但し、コンテンツ操作用の画像はこれに限ったものではない。なお、このうちオーディオコンテンツ、ビデオコンテンツは、例えば、第一記憶部２１に記憶させておくことができる。図１０においてユーザによってコンテンツの種類が選択されると、情報表示装置１は、その種類のコンテンツの一覧（図示せず）を表示させることができ、また、その一覧の中から選択されたコンテンツを再生させることができる。
【００６７】
これにより、携帯端末装置３を載置する向きだけで、携帯端末装置３から受信した経路案内と情報表示装置１におけるコンテンツ操作用の画像（コンテンツ操作画面）とで表示を切り替えることができる。
【００６８】
図１１で例示する情報表示装置１は、自動車等の車両において用いられる装置であり、車両情報取得部（図示せず）を備えるものとする。車両情報取得部は、車両に関する情報（車両情報）を車両の本体側から取得する部位であり、例えば制御部１０に備えることができる。車両情報取得部は、車両本体側と例えばＣＡＮ（Controller Area Network）等を介して接続しておくことができる。車両情報としては、例えば車両の走行速度、一定期間の平均燃費、総走行距離、指定された時点からの走行距離など、様々な情報が挙げられる。例えば、車両に、車両の後方など、車両の周囲を撮影するカメラを備えておき、そのカメラで撮影された映像（又は静止画像）を、車両情報とすることもできる。
【００６９】
そして、この情報表示装置１では、第一表示制御部１２が、向き判別部１５で判別された向きが第二の向きである場合、第一表示部２２に車両情報取得部で取得された車両に関する情報を表示させる。つまり、この情報表示装置１は、前方パネル２５において携帯端末装置３を第二の向きに載置した状態で、例えば図１１で示したように、速度（走行速度）、燃費（平均燃費）等の車両情報を第１表示面２２ａに表示させる。
【００７０】
これにより、携帯端末装置３を載置する向きだけで、携帯端末装置３から受信した経路案内と情報表示装置１を搭載した車両の車両情報とで表示を切り替えることができる。
【００７１】
以上に説明したように、本実施の形態に係る情報表示装置１によれば、情報を表示させながら携帯端末装置３を容易に充電させることが可能になり、且つ表示させる情報を容易に選択することが可能になる。つまり、この情報表示装置１では、携帯端末装置３を非接触で充電すること、充電中に情報を表示させること、及びその情報をユーザが容易に選択することが可能になる。ここで、第一表示部２２に表示させること自体がその機能を利用していると言えるため、表示させる情報を容易に選択できることは、容易に所望の機能（携帯端末装置３の機能も含む）を選択できることを意味する。
【００７２】
＜実施の形態２＞
実施の形態２に係る情報表示装置及び情報表示システムについて、図１２〜図１６を併せて参照しながら説明する。図１２は、本実施の形態に係る情報表示装置において携帯端末装置を載置した様子の一例を示す正面側から見た斜視図である。図１３〜図１５は、本実施の形態に係る情報表示装置におけるタッチ操作の設定例について説明するための図で、図１６は、本実施の形態に係る情報表示装置で実行される処理の一例を説明するためのフロー図である。本実施の形態に係る情報表示装置及び携帯端末装置は、図１及び図２で説明したものと基本的に同様の構成を有することができ、本実施の形態について情報表示装置１及び携帯端末装置３の構成に基づき説明する。本実施の形態においても、基本的に実施の形態１で説明した様々な例が適用できる。
【００７３】
実施の形態１で説明したように、本実施の形態においても、第一表示制御部１２は、向き判別部１５で判別された向きが第一の向きである場合、第一表示部２２に携帯端末装置３から受信した情報を表示させる。例えば、第一表示制御部１２は、図１２に示すように、第１表示面２２ａには携帯端末装置３ａから受信したナビゲーション画像（経路案内を示す情報を含む地図画像）を表示させることができる。
【００７４】
但し、本実施の形態では、向き判別部１５で判別された向きが第一の向きである場合に、さらに次のような制御もなされる。即ち、第二表示制御部３２は、向き判別部１５で判別された向きが第一の向きである場合、第一表示部２２に表示する情報（図１２の例では経路案内を示す情報）を操作する操作画像を、第二表示部４２に表示させる。図１２では、上記操作画像として、表示範囲を移動させる操作を受け付ける十字アイコン、目的地を変更する操作を受け付ける目的地変更アイコン、ルート（経路）を変更する操作を受け付けるルート変更アイコンが操作可能な状態で第二表示面４２ａに表示された例を挙げている。特に、第二表示制御部３２は、図１２で例示したように、上記操作画像を、第一表示部２２での表示の向きに合わせた向きで第二表示部４２に表示させる。
【００７５】
なお、上述のような表示制御のために、第二表示制御部３２は、向き判別部１５で第一の向きに載置されたことが判別されたことを知る必要がある。そのため、携帯端末装置３は、向き判別部１５での判別結果を、例えば第二通信部４７と第一通信部２７との間の通信により、情報表示装置１から受信可能となっている。例えば、情報表示装置１の制御部１０は、携帯端末装置３から受信した情報を表示させる制御を行うに際し、第一通信制御部１７に指示して第一通信部２７を介して当該情報を携帯端末装置３から受信させる制御（携帯端末装置３への情報要求）を行う。携帯端末装置３は、この情報要求を受信することで、向き判別部１５での判別結果を間接的に知り得る。よって、携帯端末装置３では、この情報要求を受信した場合、第一表示部２２で表示させる情報を返信するとともに、第二表示制御部３２がこの情報要求をトリガとして上記操作画像を第二表示部４２に表示させることができる。
【００７６】
上記操作画像を表示させておくことで、携帯端末装置３に備えられたハードウェアキーにより、第一表示部２２に表示する情報（図１２の例では経路案内を示す情報）について操作を行うことができる。しかし、上記操作画像をタッチ操作により操作可能とすることが望ましい。よって、本実施の形態においても携帯端末装置３は第二操作部４３を備えることが好ましい。そして、第二操作部４３は、向き判別部１５で判別された向きが第一の向きである場合、第二表示部４２に表示される上記操作画像に対するタッチ操作を受け付ける。
【００７７】
図１２の例では、携帯端末装置３は、単独でナビゲーション機能を動作させた場合に、地図表示（経路設定済みである場合にはその経路の表示も含む）とともに、経路、目的地等の設定メニューの表示が可能になっていることを前提としている。この前提では、例えば、携帯端末装置３は、単独でナビゲーション機能を動作させた場合に、図５の第一表示面２２ａへの表示画像のような画像が第二表示部４２において表示される。なお、設定メニューの表示の代わりにその設定メニューへの遷移操作のためのアイコンが表示されていてもよい。
【００７８】
このような構成により、情報表示装置１に図１２のように載置された携帯端末装置３ａは、上記前提における地図表示に代えて、ナビゲーション機能の操作メニューを第二表示部４２に表示させることができる。この例に限らず、操作メニューは、第二表示部４２において地図の表示面積を狭くしてそのスペースに大きく表示させることもできる。これにより、情報表示装置１に充電のために載置するだけで、携帯端末装置３における表示（この例では地図と操作メニューの表示）を分離させることができる。また、このとき、第二操作部４３により、第二表示面４２ａにおいて例えばナビゲーション機能についてのタッチ操作を受け付けることができる。
【００７９】
以下、携帯端末装置３の第二表示面４２ａにおけるタッチ操作の設定例について説明する。図１２で例示したように、向き判別部１５で判別された向きが第一の向きである場合で且つ第二表示部４２での表示がある場合には、第二操作部４３は、第二表示部４２に表示されている情報に対して、第一の向きの状態でのタッチ操作をそのまま受け付ける。この点については、基本的に携帯端末装置３がタッチ操作をそのまま受け付けて処理すればよいため、その説明を省略する。
【００８０】
一方で、図５又は図６で例示したように、向き判別部１５で判別された向きが第一又は第二の向きである場合で且つ第一表示部２２での表示がある場合には、携帯端末装置３の第二表示面４２ａにおけるタッチ操作に対して、以下に説明するような制御がなされる。図１３〜図１５を参照しながら、情報表示装置１が次のような第一操作制御部１３を備える例を挙げて説明する。即ち、第一操作制御部１３は、第一表示部２２に表示された情報が情報表示装置１又は携帯端末装置３のいずれに基づく情報であっても、その情報に対する操作を制御する（その情報の操作処理を行う）。特に、第一操作制御部１３は、第一表示部２２に表示された情報が携帯端末装置３又は情報表示装置１のいずれに基づく情報であっても、携帯端末装置３の第二操作部４３での操作を受け付ける。これにより、第二操作部４３を用いて第一表示部２２に表示されたＧＵＩ（Graphical User Interface）を操作することができる。
【００８１】
図１３は、第一表示部２２における表示面の座標を示す図、図１４は、第一の向きに携帯端末装置３が載置された場合のタッチ操作の設定例を示す図、図１５は、第二の向きに携帯端末装置３が設置された場合のタッチ操作の設定例を示す図である。
【００８２】
第一操作制御部１３は、向き判別部１５で判別された向きが第一の向きである場合、第一表示部２２に表示されている情報に対して、第一の向きの状態での第二操作部４３によるタッチ操作を上記操作として制御する。なお、第一の向きに向けた携帯端末装置３ａを第二表示部４２の第二表示面４２ａを上向きにして前方パネル２５に載置させることで、第一の向きに基づく第二表示面４２ａ上でのタッチ操作を第二操作部４３で受け付けることができる。
【００８３】
この場合、第一表示部２２に表示されている情報は、上述したように携帯端末装置３に基づく情報となる。以下、図１３に示すように、第一表示部２２では、第一表示面２２ａにおいて座標（水平軸がｘ０〜ｘ１、鉛直軸がｙ０〜ｙ１）に基づいて情報が表示されることを前提として説明する。なお、第二操作部４３の縦横比が第一表示部２２の第一表示面２２ａの縦横比と同じである例を挙げるが、互いに異なる場合には、第二操作部４３は、第一表示部２２の縦横比に合わせた範囲を有効としてもよい。
【００８４】
例えば、第一操作制御部１３は、第一の向きで載置された図５の携帯端末装置３ａに対しては、第二操作部４３による第一の向きでのタッチ操作を有効としておけばよい。第二操作部４３による第一の向きでのタッチ操作は、例えば、図１４に示す第二表示面４２ａにおける座標（水平軸がｘ０〜ｘ１、鉛直軸がｙ０〜ｙ１）に基づくタッチ操作を指すことができる。このような座標上のタッチ操作は、第一表示面２２ａの対応する座標に対するタッチ操作として処理されることになる。
【００８５】
第二操作部４３によるタッチ操作を有効とするためには、例えば、第一操作制御部１３は、第一通信制御部１７を介して第一通信部２７から第二操作部４３でのタッチ操作の情報を受信できるようにしておけばよい。この場合、第二操作部４３も可動状態を維持しておけばよい。なお、携帯端末装置３に基づくタッチ操作を有効とする場合にも、同時に、第一操作部２３に基づくタッチ操作を有効にしたままの状態を維持しておくこともできる。
【００８６】
但し、第一操作制御部１３は、第二操作部４３によるタッチ操作を有効とする場合には、第一操作部２３によるタッチ操作を無効にしておくことが、指により表示画像が隠れるような操作を防止できるため好ましい。特に、自動車に情報表示装置１を搭載した場合などに、安全性の観点から好ましいと言える。
【００８７】
一方で、第一操作制御部１３は、向き判別部１５で判別された向きが第二の向きである場合、第一表示部２２に表示されている情報に対して、第二の向きの状態での第二操作部４３によるタッチ操作を上記操作として制御する。なお、第二の向きに向けた携帯端末装置３ｂを第二表示部４２の第二表示面４２ａを上向きにして前方パネル２５に載置させることで、第二の向きに基づく第二表示面４２ａ上でのタッチ操作を第二操作部４３で受け付けることができる。この場合、第一表示部２２に表示されている情報は、実施の形態１で説明したように情報表示装置１に基づく情報となる。
【００８８】
例えば、第一操作制御部１３は、第二の向きで載置された図６、図１０、図１１の携帯端末装置３ｂに対しては、第二操作部４３による第二の向きでのタッチ操作を有効としておけばよい。第二操作部４３による第二の向きでのタッチ操作は、例えば、図１５に示す第二表示面４２ａにおける座標（水平軸がｘ０〜ｘ１、鉛直軸がｙ０〜ｙ１）に基づくタッチ操作を指すことができる。このような座標上のタッチ操作は、第一表示面２２ａの対応する座標に対するタッチ操作として処理されることになる。
【００８９】
第一操作制御部１３が、第二操作部４３によるタッチ操作を有効とする場合に第一操作部２３によるタッチ操作を無効にしておく例を挙げた。特に、第一操作制御部１３は、向き判別部１５で判別された向きが第一の向きである場合に、第一操作部２３によるタッチ操作を無効にすることが好ましい。即ち、第一操作部２３は、向き判別部１５で判別された向きが第一の向きである場合、第一表示面２２ａでのタッチ操作を無効とすることが好ましい。
【００９０】
一方で、第二の向きの場合には、第一表示部２２には情報表示装置１に基づく情報が表示されているため、そのまま第一操作部２３によるタッチ操作を有効にしておいてもよい。特に、情報表示装置１に基づく情報を第一表示部２２に表示した状態での第一操作部２３によるタッチ操作になれているユーザにとっては有益となるためである。このように、第一操作部２３は、向き判別部１５で判別された向きが第二の向きである場合、第一表示面２２ａに表示される情報（上記受信した情報以外の情報）に対するタッチ操作を受け付けることが好ましい。
【００９１】
次に、図１６を併せて参照しながら、本実施の形態に係る情報表示装置１で実行される処理例について、図９の処理例との相違点を中心に説明する。よって、ここでも図５と図６の表示例に基づき説明する。なお、図１６のステップＳ２０１〜Ｓ２０６，Ｓ２０８，Ｓ２１０〜Ｓ２１３は、それぞれ図９のステップＳ１０１〜Ｓ１０６，Ｓ１０７，Ｓ１０８〜Ｓ１１１と同様である。
【００９２】
携帯端末装置３が載置されてステップＳ２０４で充電処理開始が開始され、ステップＳ２０５で向き判別部１５によって向きが判別された後、第一の向きであった場合にはステップＳ２０６にて図５で例示の携帯端末装置３ａに基づく情報が第一表示部２２に表示される。その後（又はステップＳ２０６に先立ち）、第一操作制御部１３は、第一の向きでのタッチ操作、つまり第一の向きにおける携帯端末装置３ａに基づくタッチ操作を有効に設定する（ステップＳ２０７）。この場合、第二操作部４３はタッチ操作を受け付けているが、情報表示装置１側からの制御などにより、第二表示制御部３２が第二表示部４２での表示をオフにする。なお、ステップＳ２０６，Ｓ２０７の処理後は、ステップＳ２１０の処理がなされる。
【００９３】
一方で第二の向きであった場合には、ステップＳ２０８にて図６で例示の情報表示装置１に基づく情報が第一表示部２２に表示される。その後（又はステップＳ２０８に先立ち）、第一操作制御部１３は、第二の向きでのタッチ操作、つまり第二の向きにおける携帯端末装置３ｂに基づくタッチ操作を有効に設定する（ステップＳ２０９）。この場合にも、第二操作部４３はタッチ操作を受け付けているが、情報表示装置１側からの制御などにより、第二表示制御部３２が第二表示部４２での表示をオフにする。なお、ステップＳ２０８，Ｓ２０９の処理後は、ステップＳ２１０の処理がなされる。
【００９４】
以上に説明したように、本実施の形態によれば、実施の形態１による効果に加え、第一表示部２２に表示させた情報を、運転席側などからも容易に操作することができる。また、自分の手で第一表示部２２の表示内容を隠さないので、安全且つ容易に操作することができる。特に、図１２の例では、操作メニューを分離して携帯端末装置３ａへのタッチ操作で操作することができるため、運転席側などからも容易に操作することができるようになる。
【００９５】
＜他の実施の形態等＞
上述した各実施の形態では、図１に示す情報表示装置１の各部位の機能について説明したが、情報表示装置１としてこれらの機能が実現できればよい。また、各実施の形態では、図２に示す携帯端末装置３の各部位の機能について説明したが、携帯端末装置３としてこれらの機能が実現できればよい。なお、各実施の形態では、情報表示装置１と携帯端末装置３とが無線通信方式で通信することを前提として説明したが、無線通信方式に比べて接続の手間がかかるものの有線で接続するように構成することもできる。また、情報表示装置１を自動車内に設置することを前提として説明したが、情報表示装置はこれ以外の場所で利用することもできる。また、情報表示装置１が第一状態と第二状態との間で変化させる開閉機構を有することを前提として説明したが、情報表示装置１は、この開閉機構を有さず第二状態で示したような状態で固定されたような形状を有するものであってもよい。
【００９６】
また、各実施の形態に係る情報表示装置１は、次のようなハードウェア構成を有することができる。図１７は、情報表示装置１に含まれるハードウェア構成の一例を示す図である。
【００９７】
図１７に示す情報表示装置１００は、図示しない通信インタフェース及びユーザインタフェース（タッチセンサ等）などのインタフェース１０３とともに、プロセッサ１０１及びメモリ１０２を有する。上述した各実施の形態で説明した制御部１０は、プロセッサ１０１がメモリ１０２に記憶された制御プログラムを読み込んで実行することにより実現される。つまり、この制御プログラムは、プロセッサ１０１を図１の制御部１０として機能させるためのプログラムである。この制御プログラムは、図１の情報表示装置１に、制御部１０における処理を実行させるためのプログラムであると言える。なお、携帯端末装置３に対してもこの説明を援用することができる。その説明は省略するが、例えば、携帯端末装置３は図示しない通信インタフェース及びユーザインタフェース（タッチセンサ等）などのインタフェース１０３とともに、プロセッサ１０１及びメモリ１０２を有することができる。
【００９８】
上述したプログラムは、様々なタイプの非一時的なコンピュータ可読媒体（non-transitory computer readable medium）を用いて格納され、コンピュータ（装置を含むコンピュータ）に供給することができる。ここで言う装置は、情報表示装置又は携帯端末装置を指す。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９９】
さらに、上述した様々な実施の形態において、情報表示装置における情報表示処理や充電処理の手順を説明したように、本開示は、表示部及び載置部を備えた情報表示装置における情報表示方法としての形態も採り得る。この情報表示方法は、次の充電ステップ、判別ステップ、及び表示ステップを含む。上記の充電ステップは、載置部に携帯端末装置が載置された場合、携帯端末装置への充電処理を行うよう非接触充電部を制御するステップである。上記の判別ステップは、載置部に載置された携帯端末装置の向きを判別するステップである。上記の表示ステップは、判別された向きが第一の向きである場合と、判別された向きが第一の向きとは異なる第二の向きである場合とで、第一表示部に表示させる情報を変更して表示させるステップである。なお、その他の例については、上述した様々な実施の形態で説明した通りである。また、上述の制御プログラムは、情報表示装置に（例えば情報表示装置の制御部に）このような情報表示方法を実行させるためのプログラムであると言える。
【０１００】
なお、本開示は上記実施の形態に限られたものではなく、趣旨を逸脱しない範囲で適宜変更することが可能である。また、本開示は、それぞれの実施の形態を適宜組み合わせて実施されてもよい。
【０１０１】
この出願は、２０１８年８月３日に出願された日本出願特願２０１８−１４６８０３を基礎とする優先権を主張し、その開示の全てをここに取り込む。
【産業上の利用可能性】
【０１０２】
実施の形態に係る情報表示装置、情報表示システム、情報表示方法及びプログラムは、例えば車両等に用いられ、情報を表示させながら携帯端末装置を容易に充電可能で且つ表示させる情報を容易に選択可能なものであり、産業上の利用可能性を有する。
【符号の説明】
【０１０３】
１，１００  情報表示装置
１ａ  筐体
３  携帯端末装置
３ａ  第一の向きの携帯端末装置
３ｂ  第二の向きの携帯端末装置
１０  制御部
１１  第一コンテンツ制御部
１２  第一表示制御部
１３  第一操作制御部
１４  パネル動作制御部
１５  向き判別部
１６  充電制御部（送電制御部）
１７  第一通信制御部
２１  第一記憶部
２２  第一表示部
２２ａ  第一表示面
２３  第一操作部
２４  前方パネル駆動部
２５  前方パネル
２５ａ  載置領域
２６  送電部
２６ａ  位置
２６ｂ，２６ｃ  コイル
２６ｄ  コイルアレイ
２７  第一通信部
２８  載置部
３０  制御部
３１  第二コンテンツ制御部
３２  第二表示制御部
３３  第二操作制御部
３６  受電制御部
３７  第二通信制御部
４１  第二記憶部
４２  第二表示部
４２ａ  第二表示面
４３  第二操作部
４５  バッテリ
４６  受電部
４６ａ  コイル
４７  第二通信部
６１  ウインドシールド
６２  リアビューミラー
６３  ダッシュボード
６４  インストルメントパネル
６５  ステアリングホイール
１０１  プロセッサ
１０２  メモリ
１０３  インタフェース
【図１】
2020026536.tif 000003
【図２】
2020026536.tif 000004
【図３】
2020026536.tif 000005
【図４】
2020026536.tif 000006
【図５】
2020026536.tif 000007
【図６】
2020026536.tif 000008
【図７】
2020026536.tif 000009
【図８】
2020026536.tif 000010
【図９】
2020026536.tif 000011
【図１０】
2020026536.tif 000012
【図１１】
2020026536.tif 000013
【図１２】
2020026536.tif 000014
【図１３】
2020026536.tif 000015
【図１４】
2020026536.tif 000016
【図１５】
2020026536.tif 000017
【図１６】
2020026536.tif 000018
【図１７】
2020026536.tif 000019
【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
情報を表示する第一表示部と、
携帯端末装置を載置するための載置部であって、載置された前記携帯端末装置に充電を行う非接触充電部を有する載置部と、
前記載置部に載置された前記携帯端末装置の向きを判別する向き判別部と、
前記第一表示部への情報表示を制御する第一表示制御部と、
前記非接触充電部による充電を制御する充電制御部と、
を備え、
前記充電制御部は、前記載置部に前記携帯端末装置が載置された場合、前記携帯端末装置への充電処理を行うよう前記非接触充電部を制御し、
前記第一表示制御部は、前記向き判別部で判別された向きが第一の向きである場合、前記第一表示部に前記携帯端末装置から受信した情報を表示させ、前記向き判別部で判別された向きが前記第一の向きとは異なる第二の向きである場合、前記第一表示部に前記受信した情報以外の情報を表示させる、
情報表示装置。
【請求項２】
前記第一表示制御部は、前記向き判別部で判別された向きが前記第一の向きである場合、前記第一表示部に前記携帯端末装置から受信した経路案内に関する情報を表示させ、前記向き判別部で判別された向きが前記第二の向きである場合、前記第一表示部に前記情報表示装置におけるコンテンツ操作用の画像を表示させる、
請求項１に記載の情報表示装置。
【請求項３】
前記情報表示装置は、車両において用いられる装置であり、
前記情報表示装置は、前記車両に関する情報を取得する車両情報取得部をさらに備え、
前記第一表示制御部は、前記向き判別部で判別された向きが前記第一の向きである場合、前記第一表示部に前記携帯端末装置から受信した経路案内に関する情報を表示させ、前記向き判別部で判別された向きが前記第二の向きである場合、前記第一表示部に前記車両情報取得部で取得された前記車両に関する情報を表示させる、
請求項１に記載の情報表示装置。
【請求項４】
請求項１から３のいずれか１項に記載の情報表示装置と、前記携帯端末装置と、を備える情報表示システムであって、
前記携帯端末装置は、情報を表示する第二表示部と、前記第二表示部への情報表示を制御する第二表示制御部と、を備え、
前記第一表示制御部は、前記向き判別部で判別された向きが前記第一の向きである場合、前記第一表示部に前記携帯端末装置から受信した情報を表示させ、
前記第二表示制御部は、前記向き判別部で判別された向きが前記第一の向きである場合、前記第一表示部に表示する情報を操作する操作画像を、前記第一表示部での表示の向きに合わせた向きで前記第二表示部に表示させる、
情報表示システム。
【請求項５】
前記携帯端末装置は、前記第二表示部における表示面である第二表示面でのタッチ操作を受け付ける第二操作部を備え、
前記第二操作部は、前記向き判別部で判別された向きが前記第一の向きである場合、前記第二表示部に表示される前記操作画像に対するタッチ操作を受け付ける、
請求項４に記載の情報表示システム。
【請求項６】
前記情報表示装置は、前記第一表示部における表示面である第一表示面でのタッチ操作を受け付ける第一操作部をさらに備え、
前記第一操作部は、
前記向き判別部で判別された向きが前記第一の向きである場合、前記第一表示面でのタッチ操作を無効とし、
前記向き判別部で判別された向きが前記第二の向きである場合、前記第一表示面に表示される、前記受信した情報以外の情報に対するタッチ操作を受け付ける、
請求項４又は５に記載の情報表示システム。
【請求項７】
情報を表示する第一表示部と、
携帯端末装置を載置するための載置部であって、載置された前記携帯端末装置に充電を行う非接触充電部を有する載置部と、
を備えた情報表示装置における情報表示方法であって、
前記載置部に前記携帯端末装置が載置された場合、前記携帯端末装置への充電処理を行うよう前記非接触充電部を制御するステップと、
前記載置部に載置された前記携帯端末装置の向きを判別するステップと、
判別された向きが第一の向きである場合、前記第一表示部に前記携帯端末装置から受信した情報を表示させ、判別された向きが前記第一の向きとは異なる第二の向きである場合、前記第一表示部に前記受信した情報以外の情報を表示させるステップと、
を有する、
情報表示方法。
【請求項８】
情報を表示する第一表示部と、
携帯端末装置を載置するための載置部であって、載置された前記携帯端末装置に充電を行う非接触充電部を有する載置部と、
を備えた情報表示装置を動作させるコンピュータに、
前記載置部に前記携帯端末装置が載置された場合、前記携帯端末装置への充電処理を行うよう前記非接触充電部を制御するステップと、
前記載置部に載置された前記携帯端末装置の向きを判別するステップと、
判別された向きが第一の向きである場合、前記第一表示部に前記携帯端末装置から受信した情報を表示させ、判別された向きが前記第一の向きとは異なる第二の向きである場合、前記第一表示部に前記受信した情報以外の情報を表示させるステップと、
を実行させるためのプログラム。
【国際調査報告】
2020026536.tif 000020
2020026536.tif 000021
2020026536.tif 000022